(57)【特許請求の範囲】
【請求項１】
一対の柱を有する枠と、柱の下端部に位置する一対の脚と、柱と脚とを連結する連結具とを備え、一対の脚は、対向する内側に接地具取付部を有し、接地具取付部に接地具を取付けてあり、連結具は、脚に取付けられ且つ柱内に挿入される柱挿入部と、上部が柱の対向面に溶接にて取付けられ且つ下部が脚の対向面に当接するつなぎ部とを有し、柱挿入部を柱と密嵌するか又は柱と固着具で固定してあるとともに、つなぎ部と接地具取付部のうちの一方を他方に呑み込ませた状態でつなぎ部の下部を脚に固着具で固定してあり、接地具取付部を一対の脚の対向する内側面に溶接してあることを特徴とする什器。
【発明の詳細な説明】
【技術分野】
【０００１】
本発明は、主としてスーパーやドラッグストア等において商品を陳列・販売するために用いられる什器に関する。
【背景技術】
【０００２】
従来より、一対の柱の下端部に脚をそれぞれ前後方向に連結し、脚にキャスターを取付けた構造の什器が知られている（例えば、非特許文献１参照。）。この什器は、柱と脚とが溶接にて接合され、分離することができないため、工場からスーパー等の設置場所に輸送する際などに広い保管スペースを必要とする問題があった。
【先行技術文献】
【特許文献】
【０００３】
【非特許文献１】三協立山株式会社 タテヤマアドバンス社発行のカタログ「タテヤマゴンドラ」（商品コード０９８２２１ＳＥ）、２０１２年６月、ｐ．１６４−１６８
【発明の概要】
【発明が解決しようとする課題】
【０００４】
本発明は以上に述べた実情に鑑み、工場から出荷する際などに省スペース化を図ることのできる什器の提供を目的とする。
【課題を解決するための手段】
【０００５】
上記の課題を達成するために請求項１記載の発明による什器は、一対の柱を有する枠と、柱の下端部に位置する一対の脚と、柱と脚とを連結する連結具とを備え、一対の脚は、対向する内側に接地具取付部を有し、接地具取付部に接地具を取付けてあり、連結具は、脚に取付けられ且つ柱内に挿入される柱挿入部と、上部が柱の対向面に溶接にて取付けられ且つ下部が脚の対向面に当接するつなぎ部とを有し、柱挿入部を柱と密嵌するか又は柱と固着具で固定してあるとともに、つなぎ部と接地具取付部のうちの一方を他方に呑み込ませた状態でつなぎ部の下部を脚に固着具で固定してあり、接地具取付部を一対の脚の対向する内側面に溶接してあることを特徴とする。
【発明の効果】
【０００６】
請求項１記載の発明による什器は、柱と脚とを連結する連結具を備え、連結具は、脚に取付けられ且つ柱内に挿入される柱挿入部と、上部が柱の対向面に溶接にて取付けられ且つ下部が脚の対向面に当接するつなぎ部とを有し、柱挿入部を柱と密嵌するか又は柱と固着具で固定し、つなぎ部の下部を脚に固着具で固定するようにしたので、工場から出荷する際などに柱と脚とを分離し、省スペース化を図ることができる。しかも、脚に取付けられた柱挿入部を柱と密嵌するか又は柱と固着具で固定すると共に、柱の対向面に取付けられたつなぎ部を脚の対向面に当接して固着具で固定することで、柱と脚とを強固に連結できる。一対の脚の対向する内側に接地具を有しているので、保管時や設置時に接地具が邪魔にならない。さらに、一対の脚は、対向する内側に接地具取付部を有し、つなぎ部と接地具取付部のうちの一方を他方に呑み込ませてあり、接地具取付部を一対の脚の対向する内側面に溶接してあることで、高さが限られた脚の対向面に、接地具取付部とつなぎ部をそれぞれできるだけ長く当接させることができるので、つなぎ部による柱と脚の連結強度、接地具の取付強度を高めることができる。
【図面の簡単な説明】
【０００７】
【図１】（ａ）は柱と脚との連結部の平面図であり、（ｂ）は柱と脚との連結部の内側から見た側面図である。
【図２】柱と脚との連結部の正面図である。
【図３】柱と脚との連結部の分解斜視図である。
【図４】本発明の什器の一実施形態を示す正面図である。
【図５】同什器の側面図である。
【図６】同什器を枠と脚とに分離した状態で示す斜視図である。
【図７】同什器を前後方向にスタッキングした状態を示す斜視図である。
【図８】本発明の什器の他の実施形態を示す側面図である。
【発明を実施するための形態】
【０００８】
以下、本発明の実施の形態を図面に基づいて説明する。図４〜６は、本発明の什器の一実施形態を示している。この什器は、スーパーやドラッグストア等で商品を陳列・販売するために用いられるものであり、一対の柱１，１を有する枠２と、各柱１，１の下端部に前後方向に取付けた一対の脚３，３と、柱１と脚３とを連結する連結具４を備えている。柱１は、脚３の前後方向のちょうど真ん中に位置している。
枠２は、柱１，１間の上部に上連結材９を架設し、柱１，１間の下部に下連結材１０を架設して長方形に枠組みされ、その枠内に金属製の線材を格子状に組んだネット１１が取付けてある。柱１は、前面と後面とに縦長のスリット１２が上下方向に間隔をおいて多数形成されており、そのスリット１２に引っ掛けてブラケット１３を適宜取付け、左右の柱１，１に取付けたブラケット１３，１３に棚板１４を載せることで、前後両側に棚板１４，１４，…を好きな高さに取付けできるようになっている。また、前後に張り出した一対の脚３，３の上にも棚板１４を取付けている。
本什器は、図６に示すように、一対の脚３，３が枠２の柱１，１の下端部に連結具４でそれぞれ連結するようになっており、これにより枠２と脚３，３とが分離可能となっている。
【０００９】
連結具４は、図１〜３に示すように、脚３に取付けられ且つ柱１内に挿入される柱挿入部６と、柱１の対向面１ａに取付けられ且つ脚３の対向面３ａに当接するつなぎ部７とで構成されている。柱挿入部６は、鉄などの金属の板をプレス加工して形成され、脚３の上面に溶接にて固定してある。柱挿入部６は、図１に示すように、前後方向の中央部に内側に向けて突出する凸部１５が上下方向に連続して形成してあると共に、上部と下部の前後４か所に外側に向けて突出する円形の突起部１６が設けてあり、柱挿入部６の前後方向の寸法は、柱１内部の空間の前後方向の寸法とほぼ同じになっている。凸部１５の下部には、図３に示すように、雌ネジ孔１７が形成してある。柱挿入部６を柱１内に挿入すると、図１（ａ）に示すように、柱挿入部６の凸部１５が柱１内部の内側の内側面１ｂに当接し、柱挿入部６の４か所の突起部１６が柱１内部の外側の内側面１ｃに当接し、柱挿入部６の前後縁が柱１内部の前側及び後側の内側面１ｄに当接し、これにより柱１が傾いたりがたついたりしないように脚３と直角に保持される。
つなぎ部７は、鉄などの金属の板をコ字形にプレス加工して形成され、柱１及び脚３の対向面１ａ，３ａに当接する当接板１８と、一対の側板１９，１９とを備えている。つなぎ部７は、図１，３に示すように、上端を下連結材１０の下面に当接し、当接板１８を柱１の対向面１ａに溶接で固定してあり、柱１の下端よりも下方に突出している。当接板１８には、上下２箇所にネジ挿通孔２０が上下方向の長孔状に設けてある。柱挿入部６を柱１内に挿入すると、図１に示すように、つなぎ部７の当接板１８の下半分が脚３の対向面３ａに当接し、当接板１８のネジ挿通孔２０に挿通したネジ８ａ，８ｂを、柱挿入部６に形成した雌ネジ孔１７と脚３の対向面３ａに形成した雌ネジ孔２１にそれぞれ螺合して締め付けることで、柱１と脚３とが強固に連結固定される。本連結具４は、柱挿入部６とつなぎ部７の２つの部分で柱１の前後方向及び内外方向の倒れを規制するので、大荷重に対応できる。特に、つなぎ部７が柱１の対向面１ａと脚３の対向面３ａとに当接して固定してあることで、柱１が内外方向に倒れるのを規制できるため、什器を移動させるために柱１を押したり引いたりしたときに、枠２が平行四辺形状に変形するのを防止できる。
【００１０】
上側のネジ８ａは、主として柱挿入部６が抜けるのを防ぐためのものであり、省略することもできる。その場合に柱挿入部６は、柱１から容易に抜けないように柱１と密嵌するように形成する。例えば柱挿入部６は、柱１内に挿入する際にハンマーで叩くなどして挿入し、簡単に抜けないものとすることができる。もっとも、本実施形態のように柱挿入部６とつなぎ部７とをネジ８ａで固定することで、柱１が柱挿入部６とつなぎ部７とで挟まれた状態で固定されるから、連結強度をより高める効果がある。
【００１１】
本什器は、図４，６に示すように、一対の脚３，３の対向する内側に複数のキャスター５，５，…を取付けてある。キャスター５は、左右の脚３ごとに前部と後部と中央部の３箇所に取付けてある。キャスター５は、図１〜３に示すように、脚３に設けたキャスター取付部２２を介して取付けられている。キャスター取付部２２は、鉄などの金属の板をコ字形にプレス加工して形成され、底板２３と一対の側板２４，２４を有し、底板２３の上面を脚３の下面に、側板２４，２４の外側縁を脚３の対向面３ａにそれぞれ当接し、溶接して取付けてある。底板２３の上面にはナット２５が溶接してあり、このナット２５にキャスター５の取付ボルト２６を螺入して、キャスター５を取付けている。
前後方向中央部のキャスター取付部２２は、柱１及び連結具４と前後方向の同じ位置に位置しており、図１に示すように、キャスター取付部２２の側板２４，２４間の間隔が連結具４のつなぎ部７の側板１９，１９間の間隔より広く形成されており、キャスター取付部２２の側板２４，２４間につなぎ部７を呑み込ませている。このように本什器は、キャスター５を柱１と前後方向の同じ位置に配置することで、柱１にかかる荷重をキャスター５で直接的に地面に伝えられるので、大荷重に対応することができ、移動もスムーズである。さらに、キャスター取付部２２に連結具４のつなぎ部７を呑み込ませることで、高さが限られた脚３の対向面３ａに、キャスター取付部２２とつなぎ部７をそれぞれできるだけ長く当接させることができるので、つなぎ部７による柱１と脚３の連結強度、キャスター５の取付強度を高めることができる。
【００１２】
以上に述べたように本什器は、柱１と脚３とを連結する連結具４を備え、連結具４は、脚３に取付けられ且つ柱１内に挿入される柱挿入部６と、柱１の対向面１ａに取付けられ且つ脚３の対向面３ａに当接するつなぎ部７とを有し、柱挿入部６を柱１と密嵌するか又は柱１とネジ８ａで固定し、つなぎ部７の下部を脚３にネジ８ｂで固定するようにしたので、工場から出荷する際などに柱１と脚３とを分離し、省スペース化を図ることができる。すなわち、多数台の什器をトラックや船等で輸送する場合、枠２は枠２だけで積み重ね、脚３は脚３だけでまとめることで、狭いスペースに積み込むことができ、輸送コストを削減することができる。しかも本什器は、脚３に取付けられた柱挿入部６を柱１と密嵌するか又は柱１とネジ８ａで固定すると共に、柱１の対向面１ａに取付けられたつなぎ部７を脚３の対向面３ａに当接してネジ８ｂで固定することで、柱１と脚３とを強固に連結できる。また本什器は、一対の脚３，３の対向する内側にキャスター５を有しているので、保管時や設置時にキャスター５が邪魔にならない。さらに、連結具４とキャスター取付部２２が外側から見えないので、意匠性も良い。さらに本什器は、図７に示すように、組み立てた状態で前後方向にスタッキングすることができるので、使用しないときに複数台の什器を狭いスペースに保管できる。
【００１３】
図８は、本発明の什器の他の実施形態を示している。本実施形態は、前側にのみ棚板１４を取付ける片面タイプとなっており、枠２の柱１，１は脚３，３の後部上面に連結し、柱１と脚３とでＬ型を成しており、キャスター５は左右の脚３の前部と後部の２箇所に設けてある。柱１と脚３とを連結する連結具４の構造、脚３，３の内側にキャスター５を取付けている点は、先に説明した両面タイプの実施形態と同様である。
【００１４】
本発明は以上に述べた実施形態に限定されない。連結具の具体的な形状は、適宜変更することができる。連結具を柱と脚に固定するための固着具は、ネジやリベットのような取付け取外しができるものの他、接着剤であってもよい。接地具は、キャスターに限らず、円盤状の足付きのアジャスターボルト等であってもよい。実施形態のものは、連結具のつなぎ部をキャスター取付部に呑み込ませているが、キャスター取付部を連結具のつなぎ部に呑み込ませることもできる。枠は、ネットの代わりにパネルを取付けることもでき、またネットとパネルの何れも取付けないようにもできる。
【符号の説明】
【００１５】
１  柱
２  枠
３  脚
４  連結具
５  キャスター（接地具）
６  柱挿入部
７  つなぎ部
８ａ，８ｂ  ネジ（固着具）
【図１】
0006417162.tif 000002
【図２】
0006417162.tif 000003
【図３】
0006417162.tif 000004
【図４】
0006417162.tif 000005
【図５】
0006417162.tif 000006
【図６】
0006417162.tif 000007
【図７】
0006417162.tif 000008
【図８】
0006417162.tif 000009